(57)【要約】【課題】低コスト、且つコードリール自身の改造を伴うことなく、該コードリールの電気コードの発熱に伴うトラブルを未然に防止することができる、コードリールカバー、及び該コードリールカバーを備えるコードリール、並びにコードリールのカバー方法を提供する。【解決手段】円筒状の巻胴１０３と、巻胴１０３の両端において巻胴１０３と同軸上に配設される円盤状の側板１０４・１０４と、側板１０４・１０４に配設されるコンセント１４１・１４１・・・と、巻胴１０３に巻回される長尺の電気コード１０２と、を備えるコードリール１０１に装着されるコードリールカバー１であって、コンセント１４１・１４１・・・を同時に閉塞しつつ前側の側板１０４に装着されるカバー部材２と、電気コード１０２の全てが前記巻胴１０３より引き出されることなく、カバー部材２が巻胴１０３から脱離するのを防止する、脱離防止手段としての下敷部材６とを備える。【選択図】図２
2014073901.tif 000002
【特許請求の範囲】
【請求項１】
円筒状の巻胴と、該巻胴の両端において該巻胴と同軸上に配設される円盤状の側板と、該側板に配設されるコンセントと、前記巻胴に巻回される長尺の電気コードと、を備えるコードリールに装着されるコードリールカバーであって、
前記コンセントを閉塞しつつ前記側板に装着されるカバー部材と、
前記電気コードの全てが前記巻胴より引き出されることなく、前記カバー部材が前記巻胴から脱離するのを防止する脱離防止手段と、
を備える、
ことを特徴とするコードリールカバー。
【請求項２】
前記脱離防止手段は、
前記カバー部材の縁部に吊着される帯状部材を有し、
前記帯状部材が、前記巻胴とともに前記電気コードによって巻回されることにより、前記カバー部材の装着姿勢は保持される、
ことを特徴とする、請求項１に記載のコードリールカバー。
【請求項３】
前記帯状部材は、ゴムによって形成される、
ことを特徴とする、請求項２に記載のコードリールカバー。
【請求項４】
前記カバー部材は、前記側板と略同程度の外形形状からなる長円形状の板部材により形成される、
ことを特徴とする、請求項１、２、又は３に記載のコードリールカバー。
【請求項５】
前記カバー部材は、前記側板と連結部材によって連結される、
ことを特徴とする、請求項１、２、３、又は４に記載のコードリールカバー。
【請求項６】
請求項１、２、３、４、又は５に記載のコードリールカバーを備える、
ことを特徴とするコードリール。
【請求項７】
円筒状の巻胴と、該巻胴の両端において該巻胴と同軸上に配設される円盤状の側板と、該側板に配設されるコンセントと、前記巻胴に巻回される長尺の電気コードと、を備えるコードリールのカバー方法であって、
前記側板にカバー部材を装着して前記コンセントを閉塞し、
前記電気コードの全てが前記巻胴より引き出されることなく、前記カバー部材が前記巻胴から脱離するのを防止する、
ことを特徴とするコードリールのカバー方法。
【請求項８】
前記カバー部材の縁部に帯状部材を吊着し、
前記帯状部材を、前記巻胴とともに前記電気コードによって巻回することにより、前記カバー部材の装着姿勢を保持する、
ことを特徴とする、請求項７に記載のコードリールのカバー方法。
【発明の詳細な説明】
【技術分野】
【０００１】
本発明は、コードリールカバー、及びコードリールカバーを備えるコードリール、並びにコードリールのカバー方法の技術に関する。
【背景技術】
【０００２】
例えば工事現場などにおいて、電源のコンセントから遠く離れた場所に、電気工具や照明器具などを使用する作業場が存在する場合、コードリールを用いて、前記コンセントの位置を該作業場にまで延長することが知られている。
前記コードリールは、主に円筒状の巻胴や、該巻胴の両端に同軸上に配設される円盤状の側板や、前記巻胴を回動可能に軸止する支持脚などによって構成される。また、一方の側板には複数のコンセントが配設される。さらに、巻胴には、長尺の電気コードが巻回され、該電気コードの一端には、プラグが配設されるともに、該電気コードの他端には、側板に配設される前記コンセントが、前記巻胴に内装される中継線を介して接続される。
【０００３】
そして、このような構成からなるコードリールの使用手順としては、先ず始めに、巻胴に巻回される電気コードが幾分か引き出され、該電気コードのプラグが電源のコンセントに差し込まれる。
前記プラグが電源のコンセントに差し込まれると、コードリールは、所定の作業場へと持ち運ばれる。この際、電気コードは、コードリールの移動に従って、巻胴を回転させつつ、外部へと引き出されることとなる。そして、所定の作業場に到達すると、コードリールはその場に置かれる。
その後、側板に配設される複数のコンセントに対して、例えば電気工具や照明機器などのプラグが差し込まれる。その結果、遠く離れた電源の電力が、コードリールを介してこれらの電気工具や照明機器に供給されるのである。
【０００４】
ところで、コードリールは本来、電気コードを目一杯引き出した状態によって使用されること望ましい。
しかし、前述したように、コードリールは、電気コードを引き出しながら所定の作業場まで持ち運んで使用されることから、例えば、該所定の作業場から電源のコンセントまでの距離に比べて電気コードの全長が長い場合には、電気コードの一部が巻胴に巻回されたままの状態によって、コードリールが使用されることがあった。
その結果、電気コードなどから発生する熱が外部に放散されず、電気コードの被覆が溶解し、隣り合う電気コード間で短絡を引き起こすなど、トラブルの要因となっていた。
【０００５】
そこで、このような電気コードの発熱に伴うトラブルを、未然に防止することができるコードリールを提供するために、様々な技術が開示されている。（例えば、「特許文献１」、「特許文献２」、及び「特許文献３」を参照）。
具体的には、「特許文献１」においては、電気コード（ケーブル）を巻付けるための巻胴の周面に、コンセントを設けたことを特徴とする、コードリール（ケーブルリール）に関する技術が開示されている。
また、「特許文献２」においては、コード巻取り器についての技術であるが、ケースと、このケースに回転可能に設けられた巻取りボビンと、この巻取りボビンに設けられプラグ差込み口を有するコンセントと、一端部がそのコンセントに接続されて前記巻取りボビンに巻回され他端部にプラグを有した電源コードと、前記巻取りボビンに常に電源コードを巻き取る方向の回転力を付与するように設けられた巻取り付勢手段と、前記電源コードを一杯まで引き出した時にのみ前記巻取りボビンの巻取り方向への回転を阻止するロック手段とを具備してなるコード巻取り器に関する技術が開示されている。
さらに、「特許文献３」においては、一端に電源プラグが取付けられ、他端にコンセントが取付けられた電気コード（ケーブル）と、前記電気コード（ケーブル）を巻き回すための巻胴と、前記巻胴を間に挟むように、その両側端に取付けられ、一方に前記コンセントが外方を向くように取付けられる１対の側板と、押圧部が前記巻胴の周面から突出するように取付けられ、前記巻胴に前記電気コード（ケーブル）が巻き回されているときに、前記押圧部が前記電気コード（ケーブル）で押されることにより、前記電源プラグと前記コンセントとの間の電気的接続を遮断するためのスイッチとを備えた、コードリールに関する技術が開示されている。
【先行技術文献】
【特許文献】
【０００６】
【特許文献１】実開昭６３−８３９１７号公報
【特許文献２】実公平７−４６４号公報
【特許文献３】登録実用新案第３１２２０１０号公報
【発明の概要】
【発明が解決しようとする課題】
【０００７】
前記「特許文献１」、「特許文献２」、及び「特許文献３」によって示される技術によれば、前述したような電気コードの発熱に伴うトラブルを、未然に防止することができるコードリールを提供することが可能である。
しかし、これらの技術は、何れも、コードリールの構造に対して、大幅な設計変更や部品点数の増加を伴うものである。
従って、これらの技術を用いたコードリールは、従来のものと比べて、コスト的に高価なものとなっていた。また、例えば、コスト低減を図るため、既存のコードリールの改造によって対応しようとしても、構造が複雑であるため、非常に困難であった。
【０００８】
本発明は、以上に示した現状の問題点を鑑みてなされたものであり、低コスト、且つコードリール自身の改造を伴うことなく、コードリールの電気コードの発熱に伴うトラブルを未然に防止することができる、コードリールカバー、及びコードリールカバーを備えるコードリール、並びにコードリールのカバー方法を提供することを課題とする。
【課題を解決するための手段】
【０００９】
本発明の解決しようとする課題は以上の如くであり、次にこの課題を解決するための手段を説明する。
【００１０】
即ち、請求項１においては、円筒状の巻胴と、該巻胴の両端において該巻胴と同軸上に配設される円盤状の側板と、該側板に配設されるコンセントと、前記巻胴に巻回される長尺の電気コードと、を備えるコードリールに装着されるコードリールカバーであって、前記コンセントを閉塞しつつ前記側板に装着されるカバー部材と、前記電気コードの全てが前記巻胴より引き出されることなく、前記カバー部材が前記巻胴から脱離するのを防止する脱離防止手段と、を備えるものである。
【００１１】
請求項２においては、請求項１に記載のコードリールカバーであって、前記脱離防止手段は、前記カバー部材の縁部に吊着される帯状部材を有し、前記帯状部材が、前記巻胴とともに前記電気コードによって巻回されることにより、前記カバー部材の装着姿勢は保持されるものである。
【００１２】
請求項３においては、請求項２に記載のコードリールカバーであって、前記帯状部材は、ゴムによって形成されるものである。
【００１３】
請求項４においては、請求項１、２、又は３に記載のコードリールカバーであって、前記カバー部材は、前記側板と略同程度の外形形状からなる長円形状の板部材により形成されるものである。
【００１４】
請求項５においては、請求項１、２、３、又は４に記載のコードリールカバーであって、前記カバー部材は、前記側板と連結部材によって連結されるものである。
【００１５】
請求項６においては、請求項１、２、３、４、又は５に記載のコードリールカバーを備えるコードリールである。
【００１６】
請求項７においては、円筒状の巻胴と、該巻胴の両端において該巻胴と同軸上に配設される円盤状の側板と、該側板に配設されるコンセントと、前記巻胴に巻回される長尺の電気コードと、を備えるコードリールのカバー方法であって、前記側板にカバー部材を装着して前記コンセントを閉塞し、前記電気コードの全てが前記巻胴より引き出されることなく、前記カバー部材が前記巻胴から脱離するのを防止するものである。
【００１７】
請求項８においては、請求項７に記載のコードリールのカバー方法であって、前記カバー部材の縁部に軟性の帯状部材を吊着し、前記帯状部材を、前記巻胴とともに前記電気コードによって巻回することにより、前記カバー部材の装着姿勢を保持するものである。
【発明の効果】
【００１８】
本発明の効果として、以下に示すような効果を奏する。
即ち、本発明におけるコードリールカバー、及びコードリールカバーを備えるコードリール、並びにコードリールのカバー方法によれば、低コスト、且つコードリール自身の改造を伴うことなく、コードリールの電気コードの発熱に伴うトラブルを、未然に防止することができる。
【図面の簡単な説明】
【００１９】
【図１】本発明の第一実施形態に係る、コードリールカバーが装着されたコードリールの全体的な構成を示した正面図。
【図２】同じく、第一実施形態に係る、コードリールカバーが装着されたコードリールの全体的な構成を示した一部断面側面図。
【図３】第一実施形態に係るコードリールカバーの全体的な構成を示した裏面図。
【図４】第一実施形態に係るコードリールカバーの部分的な構成を示した図であって、（ａ）は図１の矢印Ｂの方向に向かって見た掛止部材の近傍部を示した拡大断面図、（ｂ）は図１の矢印Ｃの方向に向かって見た留め金具の近傍を示した拡大図。
【図５】本発明の第二実施形態に係る、コードリールカバーが装着されたコードリールの全体的な構成を示した正面図。
【図６】本発明の第三実施形態に係る、コードリールカバーが装着されたコードリールの全体的な構成を示した正面図。
【発明を実施するための形態】
【００２０】
次に、発明の実施の形態を説明する。
【００２１】
［コードリール１０１］
先ず、本発明を具現化するコードリールカバー１（２０１、３０１）が装着される、コードリール１０１の全体構成について、図１及び図２を用いて説明する。
なお、以下の説明に関しては便宜上、図１及び図２の上下方向をコードリール１０１（或いは、コードリールカバー１）の上下方向と規定して記述する。
また、図２においては、矢印Ａの方向を前方と規定して記述する。
【００２２】
コードリール１０１は、所謂テーブルタップの一種であって、例えば工事現場などにおいて、電気工具や照明器具などの使用場所（作業場）が、電源のコンセントより遠く離れて存在するような場合に、該コンセントの位置を前記作業場にまで延長するために用いられるものである。
コードリール１０１は、図２に示すように、主に電気コード１０２や巻胴１０３や側板１０４や支持脚１０５などにより構成される。
【００２３】
電気コード１０２は、遠く離れた電源より電力を送電するためのものである。
電気コード１０２は、例えばキャブタイヤコードなどにより構成される。また、電気コード１０２の一端には、図示せぬプラグが配設されるとともに、該電気コード１０２の他端は、後述する側板１０４のコンセント１４１と電気的に接続される。
【００２４】
そして、電気コード１０２は、前記プラグを介して、遠く離れた電源のコンセントに接続される。
これにより、前記電源から発せられる電力は、電気コード１０２を通じて、コンセント１４１へと送電されるのである。
【００２５】
次に、巻胴１０３について説明する。
巻胴１０３は、電気コード１０２を保持するための部位である。
巻胴１０３は、円筒状の部材によって形成される。また、巻胴１０３は、例えば本実施形態においては、軸心方向が、水平方向、且つ前方向（以下、矢印Ａによって示される方向をいう）となるようにして配設される。
【００２６】
そして、後述するように、巻胴１０３は、支持脚１０５によって、軸心を中心にして回動可能に軸支される。
このような構成からなる巻胴１０３の外周面上に、電気コード１０２が巻回されて保持されるのである。
【００２７】
次に、側板１０４について説明する。
側板１０４は、巻胴１０３に巻回された電気コード１０２の脱落を防止するための部位である。
側板１０４は、略円盤状の部材によって形成される。また、側板１０４は、巻胴１０３の外径寸法に比べて大きな外径寸法を有して形成される。
【００２８】
そして、側板１０４・１０４は、巻胴１０３の前後両端において、該巻胴１０３と同軸上に固設される。これにより、側板１０４・１０４は、巻胴１０３の前後両端において、鍔状に配設されることとなる。
従って、側板１０４・１０４を乗り越えない限り、巻胴１０３に巻回された電気コード１０２が、該巻胴１０３の前後両端より滑り落ちて脱落することはない。
【００２９】
ところで、一方側（例えば、本実施形態においては、前側）の側板１０４において、巻胴１０３側との対向側（本実施形態においては、前側）の平面中央部には、複数のコンセント１４１・１４１・・・が配設される。
そして、前述したように、前記複数のコンセント１４１・１４１・・・は、巻胴１０３に内装される中継線（図示せず）を介して、電気コード１０２の他端と各々電気的に接続される。
【００３０】
また、図１に示すように、一方側（前側）の側板１０４において、巻胴１０３側との対向側（前側）の平面縁部には、ハンドル１４２が突設される。
そして、例えば、巻胴１０３の外周面に電気コード１０２を巻回させる際は、ハンドル１４２を掴みつつ側板１０４を回動させる。これにより、巻胴１０３は、側板１０４と一体的に回動され、該巻胴１０３の外周面に電気コード１０２が容易に巻回されるのである。
【００３１】
次に、支持脚１０５について説明する。
支持脚１０５は、巻胴１０３を回動可能に軸支するとともに、コードリール１０１全体を、起立した状態に保持するための部位である。
【００３２】
支持脚１０５は、例えばパイプ部材によって屈曲形成される。
具体的には、支持脚１０５は、平面視「コ」字状、且つ後方に向かって開口するように配設される土台部１０５ａや、該土台部１０５ａの左右方向（以下、平面視にて、巻胴１０３の軸心との直交方向をいう）の両端より側板１０４の軸心に向かって延出し、該側板１０４の軸心上にて互いに連結される第一スタンド部１０５ｂ及び第二スタンド部１０５ｃや、これらの第一・第二スタンド部１０５ｂ・１０５ｃの上端の連結部より、水平方向、且つ前方に向かって延出する軸部１０５ｄ（図２を参照）などにより構成される。
【００３３】
そして、軸部１０５ｄは、図２に示すように、後方から前方に向かって側板１０４、巻胴１０３、側板１０４と順に貫通するようにして配設される。
また、巻胴１０３の内部において、軸部１０５ｄは、図示せぬ軸受などを介して、これらの巻胴１０３及び側板１０４・１０４を回動可能に軸支する。
なお、軸部１０５ｄの前端部には、抜止防止用の締結部材１５１が固設される。
【００３４】
一方、第一・第二スタンド部１０５ｂ・１０５ｃの上端の連結部においては、さらに上方へと延出する取手部１０５ｅが配設される。
前記取手部１０５ｅは、側板１０４の上端部に比べて、さらに上方の所定の高さにおいて、前方に向かって屈曲形成される。
【００３５】
そして、取手部１０５ｅの端部には、グリップ１５２が嵌着されており、コードリール１０１を持ち運ぶ際には、前記グリップ１５２を握持しながら、コードリール１０１を持ち上げるようになっている。
【００３６】
以上に示した構成からなるコードリール１０１の使用手順としては、先ず始めに、巻胴１０３に巻回される電気コード１０２が幾分か引き出され、電気コード１０２のプラグ（図示せず）が電源のコンセントに差し込まれる。
前記プラグが電源のコンセントに差し込まれると、コードリール１０１は、所定の作業場へと持ち運ばれる。この際、電気コード１０２は、コードリール１０１の移動に従って、巻胴１０３を回転させつつ、外部へと引き出される。そして、所定の作業場に到達すると、コードリール１０１はその場に置かれる。
【００３７】
ここで、コードリール１０１には、後述するコードリールカバー１（２０１又は３０１）が予め装着されており、巻胴１０３に未だ巻回された状態にある残りの電気コード１０２が存在する場合には、さらに継続して該電気コード１０２が引き出される。
【００３８】
そして、巻胴１０３に巻回されていた電気コード１０２が目一杯引き出されると（巻胴１０３に巻回されていた電気コード１０２が全て引き出されると）、コードリール１０１よりコードリールカバー１（２０１又は３０１）が離脱される。
これにより、コードリールカバー１（２０１又は３０１）によって閉塞されていた複数のコンセント１４１・１４１・・・は、開放状態となる。
その後、前記複数のコンセント１４１・１４１・・・に対して、例えば電気工具や照明機器などのプラグが差し込まれる。その結果、遠く離れた電源の電力が、コードリール１０１を介してこれらの電気工具や照明機器に供給されるのである。
【００３９】
［コードリールカバー１（第一実施形態）］
次に、本発明を具現化する、第一実施形態におけるコードリールカバー１の構成について、図１乃至図４を用いて説明する。
なお、以下の説明に関しては便宜上、図３及び図４の上下方向をコードリールカバー１の上下方向と規定して記述する。
また、図４においては、矢印Ａの方向を前方と規定して記述する。
【００４０】
本実施形態におけるコードリールカバー１は、前述したコードリール１０１に対して、電気コード１０２が目一杯引き出されることなくコンセント１４１が使用されることを、防止するためのものである。
コードリールカバー１は、図１に示すように、主に、カバー部材２や掛止部材３や固定部材４や連結構造体５などにより構成される。
【００４１】
カバー部材２は、コードリール１０１の側板１０４に配設される複数のコンセント１４１・１４１・・・を、同時に閉塞するための部材である。
カバー部材２は、長円形状の板部材によって形成される。また、カバー部材２は、側板１０４と略同程度の外形形状からなり、前記複数のコンセント１４１・１４１・・・を同時に閉塞するのに、十分な面積を有して形成される。
【００４２】
なお、カバー２の形状については、コンセント１４１を閉塞することが可能である限り、特に限定されるものではない。
また、カバー部材２の材質については特に限定されないが、コードリール１０１への装着作業の負担の低減化を考慮し、熱可塑性樹脂などを用いて軽量化を図ることが望ましい。
【００４３】
そして、カバー部材２は、コードリール１０１の一方側（前側）の側板１０４において、巻胴１０３側との対向側（前側）の平面に積層するようにして、前記側板１０４に装着される。
この際、カバー部材２は、長円形状に形成されているため、たとえ側板１０４の平面縁部にハンドル１４２が突設されていても、「切欠き」などを設けることなく、該ハンドル１４２との干渉を避けながら、前記側板１０４に装着することができるのである。
このように、カバー部材２の形状については、コンセント１４１を閉塞できる限り特に限定されないものの、ハンドル１４２との干渉を避けつつ側板１０４に容易に装着できることから、長円形状に形成することが望ましい。
【００４４】
カバー部材２において、側板１０４と接する側との対向側（本実施形態においては、前側）の平面には、取手２１が突設される。
そして、コードリールカバー１の運搬時や装着時などにおいては、前記取手２１を把持しながら、カバー部材２を容易に持ち上げることが可能な構成となっている。
【００４５】
次に、掛止部材３について説明する。
掛止部材３は、コードリール１０１の側板１０４にカバー部材２を装着する際、該側板１０４に対してカバー部材２を掛止するための部材である。
掛止部材３は、側面視逆「Ｊ」字状に屈曲させた矩形板状部材によって形成される。
より具体的には、掛止部材３は、図４（ａ）に示すように、前後方向に平面部を向けつつ上下方向に延出する基部３ａと、該基部３ａの上端部より水平方向且つ後方に延出する繋ぎ部３ｂと、該繋ぎ部３ｂの後端部より下方に突出する舌片部３ｃとにより構成される。
【００４６】
そして、本実施形態における掛止部材３・３は、一個のコードリールカバー１に対して二個設けられ、カバー部材２の後面上部において、基部３ａ・３ａの前面を密接させつつ、正面視「Ｖ」字状（図１を参照）に各々配設される。
【００４７】
なお、一個のコードリールカバー１における掛止部材３の個数については、特に限定されるものではなく、三個以上としてもよいし、或いは後述する第二実施形態や第三実施形態によって示されるような一個としてもよい。
但し、掛止部材３の個数が一個である場合、側板１０４に掛止された直後のカバー部材２の状態は左右方向に揺れ易く不安定である。一方、掛止部材３の個数が三個以上である場合、コードリールカバー１全体の製造コストが嵩み経済的でない。
このようなことから、掛止部材３の個数については本実施形態に示すような、一個のコードリールカバー１に対して二個設けられることが望ましい。
【００４８】
ここで、図３に示すように、基部３ａには、複数（本実施形態においては、２個）の長孔３ｄ・３ｄが、該基部３ａ（或いは、掛止部材３）の長手方向に延出するように形成される。
そして、掛止部材３は、前記長孔３ｄ・３ｄを介して、締結部材３１・３１によってカバー部材２に固設される。この際、締結部材３１・３１が緩められた状態において、該締結部材３１・３１に前記長孔３ｄ・３ｄを沿わせつつ摺動させることにより、掛止部材３は、カバー部材２に対する自身の配設位置を、該掛止部材３の長手方向（即ち、右斜上方向、或いは左斜上方向）に任意に変更することができるのである。
【００４９】
このような構成からなる二個の掛止部材３・３によって、カバー部材２は、コードリール１０１の側板１０４に掛止される。
この際、図４（ａ）に示すように、側板１０４の上端部に対して、繋ぎ部３ｂの下面を当接させつつ、基部３ａと舌片部３ｃとによって挟持させるようにして、掛止部材３は該側板１０４に掛止されるのである。
【００５０】
ところで、このような二個の掛止部材３・３によって、側板１０４に掛止されるカバー部材２においては、例えば、外部からの不意な力によって、掛止部材３・３に弾性変形などが加えられ、前上方に向かって若干持ち上げられることにより、ガタツキが発生することがある。
しかし、本実施形態における掛止部材３は十分な剛性を有しており、例えカバー部材２が前上方に若干持ち上げられたとしても、これによって発生するカバー部材２と側板１０４との間隙は僅かであり、該間隙を利用して、コンセント１４１を使用することができないようになっている。
【００５１】
また、後述するが、カバー部材２の前面下部中央には、固定部材４が配設されており、該固定部材４を用いることによって、該カバー部材２のガタツキは略完全に排除され、側板１０４への装着状態を、より堅固な状態にすることができるのである。
【００５２】
掛止部材３において、舌片部３ｃの下端部には、下敷部材６が吊着される。
前記下敷部材６は、コードリールカバー１が装着されたコードリール１０１において、電気コード１０２（図２を参照）が目一杯引き出されることなく、側板１０４よりカバー部材２が脱離されるのを防止するための部材である。
【００５３】
下敷部材６は、図２に示すように、例えば軟性の帯状部材によって形成される。
また、下敷部材６は、掛止部材３を介してコードリール１０１の側板１０４にカバー部材２を装着させた状態において、巻胴１０３の前端部から後端部に渡って略一直線状に、該巻胴１０３の外周面上に敷設可能な十分な長さ寸法を有して形成される。
【００５４】
このような構成からなる下敷部材６は、電気コード１０２が目一杯引き出された状態のコードリール１０１において、巻胴１０３の外周面上に敷設される。この際、カバー部材２は、掛止部材３によって、コードリール１０１の側板１０４に掛止されており、該側板１０４に配設される複数のコンセント１４１・１４１・・・が、前記カバー部材２によって閉塞状態となっている。
【００５５】
その後、下敷部材６が敷設された巻胴１０３の外周面上において、電気コード１０２が巻回される。これにより、下敷部材６は、巻胴１０３の外周面上において、該巻胴１０３と電気コード１０２とによって堅固に挟持されることとなる。
よって、巻胴１０３と電気コード１０２との間より、下敷部材６を抜脱することは難しく、側板１０４に対する掛止部材３の配置位置を任意に変更することは困難となる。
【００５６】
従って、再び電気コード１０２が目一杯引き出され、巻胴１０３の外周面上より、下敷部材６が、自由に離間可能な状態とならない限り、側板１０４よりカバー部材２が脱離されることはない。
換言すると、側板１０４よりカバー部材２が脱離され、該側板１０４に配設される複数のコンセント１４１・１４１・・・が使用可能な状態となるためには、電気コード１０２が目一杯引き出され、巻胴１０３の外周面上より、下敷部材６が、自由に離間可能な状態となることが必要なのである。
【００５７】
なお、下敷部材６の材質については特に限定されるものではないが、電気コード１０２の被覆材料がゴムであることから、該電気コード１０２との摩擦抵抗をできるだけ大きくするために、ゴムを選定することが望ましい。
より具体的には、下敷部材６は、コードリール１０１の巻胴１０３の外周面上において、該巻胴１０３と、該巻胴１０３に巻回した電気コード１０２とに挟持されることとなるが、この状態において、下敷部材６が不意に滑り抜けるなどのことがないように、電気コード１０２との摩擦抵抗をできるだけ大きくするため、電気コード１０２の被覆材料と同じくゴムによって形成することが、より望ましいのである。
【００５８】
また、下敷部材６が吊着される箇所については特に限定されるものではなく、側板１０４にカバー部材２が掛止された状態において、巻胴１０３の外周面上の前端部から後端部に渡って略一直線状に前記下敷部材６を敷設することが可能である限り、例えば、カバー部材２の縁部に、前記下敷部材６を直接的に吊着させてもよい。
但し、本実施形態に示すように、掛止部材３の舌片部３ｃの下端部に下敷部材６を吊着させることとすれば（換言すると、掛止部材３を介して、カバー部材２の縁部に下敷部材６を吊着させることとすれば）、該掛止部材３を介して側板１０４にカバー部材２を掛止させると同時に、下敷部材６も略同時に巻胴１０３の外周面上に敷設されることとなり、作業手順が容易になり望ましい。
【００５９】
次に、固定部材４について説明する。
固定部材４は、掛止部材３によってコードリール１０１の側板１０４に掛止されたカバー部材２において、該カバー部材２に発生するガタツキを取り除き、該カバー部材２の掛止状態を堅固なものとするための部材である。
固定部材４は、側面視略「Ｃ字」状に湾曲させた矩形板状部材によって形成される。
より具体的には、固定部材４は、前後方向に平面部を向けつつ上下方向に延出する基部４ａと、該基部４ａの下端部より下方に向かって延出し、且つ前方に向かって膨出する膨出部４ｂと、該膨出部４ｂの下端部より下方に向かって延出し、且つ下端部において後方に向かって側面視「Ｕ」字状に湾曲される掛合部４ｃとにより構成される。
【００６０】
なお、掛合部４ｃの形状については、側板１０４の端部に掛合可能である限り特に限定されず、例えば側面視「Ｖ」字状などのような他の形状であってもよい。
【００６１】
そして、図１に示すように、本実施形態における固定部材４は、一個のコードリールカバー１に対して一個設けられ、カバー部材２の前面下部中央において、基部４ａの後面を密接させつつ配設される。
また、固定部材４は、基部４ａを介して、締結部材４１によってカバー部材２に固設される。
【００６２】
このような構成からなる固定部材４は、前述した二個の掛止部材３・３を介して、コードリール１０１の側板１０４にカバー部材２が装着された後、掛合部４ｃを介して該側板１０４の下端部に掛合される。
なお、この際、膨出部４ｂを後方に向かって押圧しながら弾性変形を加えることにより、掛合部４ｃの位置は略下方に移動され、容易に開放状態（図２における固定部材４Ａを参照）とすることができる。
【００６３】
こうして、カバー部材２は、側板１０４に対して、掛止部材３・３による上部の二点、及び固定部材４による下部の一点の、合計三点において各々固定されることとなる。
従って、カバー部材２は、側板１０４に対して堅固に固設されることとなり、前述したような、掛止部材３・３の弾性変形などを要因とするカバー部材２のガタツキを、略完全に排除することができるのである。
【００６４】
なお、カバー部材２において、固定部材４の配設箇所は、該カバー部材２の前面下部中央に限定されるものではない。
即ち、掛止部材３によって側板１０４に掛止された直後のカバー部材２において、該カバー部材２に発生するガタツキを取り除き、該カバー部材２の掛止状態を堅固なものとすることが可能である限り、固定部材４の配設箇所は、カバー部材２における何れの箇所であってもよい。
【００６５】
また、前述したように、本実施形態におけるコードリールカバー１においては、十分な剛性を有する掛止部材３によって、カバー部材２が側板１０４に掛止されるようになっており、例えカバー部材２が前上方に若干持ち上げられたとしても、これによって発生するカバー部材２と側板１０４との間隙を利用して、コンセント１４１を使用することができないようになっている。
従って、本実施形態において示されるように、コードリールカバー１において、必ずしも固定部材４を備える必要はないものの、側板１０４に対するカバー部材２の掛止状態を、より堅固なものとすることができることからすれば、コードリールカバー１に固定部材４を備えることが望ましい。
【００６６】
次に、連結構造体５について説明する。
連結構造体５は、例えば、コードリール１０１の使用状態、即ち該コードリール１０１よりコードリールカバー１が脱離された状態において、該コードリールカバー１が紛失したり、盗まれたりなどしないように、該コードリールカバー１をコードリール１０１に連結するためのものである。
連結構造体５は、連結部材５１や取付部材５２などにより構成される。
【００６７】
連結部材５１は、例えば本実施形態においては、チェーン（鎖）によって構成され、側板１０４へのカバー部材２の装着作業、及び該側板１０４からのカバー部材２の脱離作業を行う際の妨げとならないように、十分な長さを有して構成される。
【００６８】
なお、連結部材５１の構成については、本実施形態に示されるようなチェーン（鎖）のみに限定されるものではなく、例えば、ワイヤーや、合成樹脂からなる紐部材などであってもよい。
【００６９】
連結部材５１の一端には、環状部材５１ａが連結されており、該環状部材５１ａは、カバー部材２の取手２１に挿通される。
つまり、連結部材５１の一端は、環状部材５１ａや取手２１を介して、カバー部材２と連結される。
【００７０】
また、連結部材５１の他端には、取付部材５２が連結される。
前記取付部材５２は、例えば、図４（ｂ）に示すように、上下方向に延出する矩形板状部材からなり、その下端部には、一方側（本実施形態においては、後方側）に向かって側面視「Ｕ」字状に湾曲される、掛合部５２ａが形成される。
【００７１】
そして、取付部材５２の上端には、連結部材５１の他端と連結されるブッシュ５４が、締結部材５３を介して螺設される。
つまり、連結部材５１の他端は、ブッシュ５４を介して、取付部材５２と連結される。
【００７２】
このような構成からなる取付部材５２は、コードリール１０１の側板１０４の縁部において、該側板１０４の中心に向かって、掛合部５２ａの開口部を介して押し当てられる。
この際、取付部材５２の位置が、側板１０４の中心に向かって移動するにつれて、掛合部５２ａの状態は、徐々に押し広げられる。
【００７３】
そして、掛合部５２ａの内周面に側板１０４の端部が当接され、取付部材５２の移動は停止する。
この状態において、掛合部５２ａは、未だ側板１０４の縁部に押し当てられていない場合（図４（ｂ）における取付部材５２Ａを参照）に比べて、側板１０４の縁部に沿って押し広げられつつ、該縁部を堅固に挟持した状態となる。
【００７４】
こうして、連結部材５１の一端は、カバー部材２と連結されるとともに、その他端は、側板１０４と連結されることとなり、コードリールカバー１とコードリール１０１とは、連結構造体５によって互いに連結されるのである。
【００７５】
なお、本実施形態における連結構造体５の構成は一例にすぎず、コードリール１０１の使用状態において、該コードリール１０１より脱着されたコードリールカバー１が紛失したり、盗まれたりしないように、これらのコードリールカバー１とコードリール１０１とを確実に連結することが可能な構成であれば、何れの構成であってもよい。
【００７６】
［コードリールカバー２０１（第二実施形態）］
次に、本発明を具現化する、第二実施形態におけるコードリールカバー２０１の構成について、図５を用いて説明する。
なお、以下の説明に関しては便宜上、図５の上下方向をコードリールカバー２０１の上下方向と規定して記述する。
【００７７】
第二実施形態におけるコードリールカバー２０１は、前述した第一実施形態におけるコードリールカバー１と略同程度な構成を有する一方、掛止部材２０３の構成について、前記コードリールカバー１と相違する。
よって、以下の説明においては、主にコードリールカバー１との相違点について記載し、該コードリールカバー１との同等な構成については説明を省略する。
【００７８】
本実施形態における掛止部材２０３は、前述した第一実施形態におけるコードリールカバー１の掛止部材３と同様に、側面視逆「Ｊ」字状に屈曲させた矩形板状部材によって形成される一方、該矩形板状部材の幅寸法（短手方向の寸法）が、前記掛止部材３の幅寸法に比べて広く（幅広に）設定されている。
【００７９】
なお、掛止部材２０３の矩形板状部材の幅寸法を幅広に設定するのは、前記掛止部材２０３を介して、側板１０４にカバー部材２０２を掛止する際、カバー部材２０２が左右方向にガタツキを生じるのを極力防ぐためである。
【００８０】
そして、本実施形態における掛止部材２０３は、一個のコードリールカバー２０１に対して一個設けられ、カバー部材２０２の後面上部において、基部２０３ａの前面を密接させつつ、上下方向に延出するようにして配設される。
【００８１】
ここで、基部２０３ａには、複数（本実施形態においては、２個）の長孔２０３ｄ・２０３ｄが、該基部２０３ａ（或いは、掛止部材２０３）の長手方向に延出するように形成される。
そして、掛止部材２０３は、前記長孔２０３ｄ・２０３ｄを介して、締結部材２３１・２３１によってカバー部材２０２に固設される。この際、締結部材２３１・２３１が緩められた状態において、該締結部材２３１・２３１に前記長孔２０３ｄ・２０３ｄを沿わせつつ摺動させることにより、掛止部材２０３は、カバー部材２０２に対する自身の配設位置を、該掛止部材２０３の長手方向（即ち、上下方向）に任意に変更することができるのである。
【００８２】
このような構成からなる一個の幅広の掛止部材２０３によって、カバー部材２０２は、コードリール１０１の側板１０４に掛止される。
この際、側板１０４の上端部に対して、繋ぎ部２０３ｂの下面を当接させつつ、基部２０３ａと舌片部（図示せず）とによって挟持させるようにして、掛止部材２０３は該側板１０４に掛止される。
【００８３】
また、前記舌片部の下端部には、図示せぬ下敷部材が貼着され、該下敷部材が敷設された巻胴１０３（図２を参照）の外周面上に、電気コード１０２が巻回される。
これにより、再び電気コード１０２が目一杯引き出されることなく、側板１０４よりカバー部材２０２を脱離させることが困難となる。
換言すると、側板１０４よりカバー部材２０２が脱離され、該側板１０４に配設される複数のコンセント１４１・１４１・・・が使用可能な状態となるためには、電気コード１０２が目一杯引き出されることが必要となるのである。
【００８４】
なお、このような一個の幅広の掛止部材２０３によって、側板１０４に掛止されたカバー部材２０２は、例えば、外部からの不意な力によって、掛止部材２０３に弾性変形などが加えられ、前上方に向かって若干持ち上げられてガタツキが発生することがある。
しかし、本実施形態における掛止部材２０３は十分な剛性を有しており、例えカバー部材２０２が前上方に若干持ち上げられたとしても、これによって発生するカバー部材２０２と側板１０４との間隙は僅かであり、該間隙を利用して、コンセント１４１を使用することができないようになっている。
【００８５】
また、カバー部材２０２の前面下部中央には、固定部材２０４が配設されており、該固定部材２０４を用いることによって、該カバー部材２０２のガタツキは略完全に排除され、側板１０４への装着状態を、より堅固な状態にすることができる。
即ち、カバー部材２０２は、側板１０４に対して、掛止部材２０３による上部の一点、及び固定部材２０４による該掛止部材２０３との対向側（下部）の一点の、合計二点において各々固定されることとなる。
このように、カバー部材２０２は、側板１０４に対して堅固に固設されることとなり、前述したような、掛止部材２０３の弾性変形などを要因とするカバー部材２のガタツキを、略完全に排除することができるのである。
【００８６】
なお、カバー部材２０２において、固定部材２０４の配設箇所は、該カバー部材２０２の前面下部中央に限定されるものではない。
即ち、掛止部材２０３によって側板１０４に掛止された直後のカバー部材２０２において、該カバー部材２０２に発生するガタツキを取り除き、該カバー部材２０２の掛止状態を堅固なものとすることが可能である限り、固定部材２０４の配設箇所は、カバー部材２０２における何れの箇所であってもよい。
【００８７】
また、前述したように、本実施形態におけるコードリールカバー２０１においては、十分な剛性を有する掛止部材２０３によって、カバー部材２０２が側板１０４に掛止されるようになっており、例えカバー部材２０２が前上方に若干持ち上げられたとしても、これによって発生するカバー部材２０２と側板１０４との間隙を利用して、コンセント１４１を使用することができないようになっている。
従って、本実施形態において示されるように、コードリールカバー２０１において、必ずしも固定部材２０４を備える必要はないものの、側板１０４に対するカバー部材２０２の掛止状態を、より堅固なものとすることができることからすれば、コードリールカバー２０１に固定部材２０４を備えることが望ましい。
【００８８】
以上のように、第二実施形態におけるコードリールカバー２０１は、第一実施形態のコードリールカバー１と異なり、一個のコードリールカバー２０１に対して、一個の掛止部材２０３を備える構成となっている。
このような構成からなる第二実施形態におけるコードリールカバー２０１であっても、第一実施形態におけるコードリールカバー１と同様に、コードリール１０１の側板１０４に対して、堅固に装着することができる。
また、本実施形態におけるコードリールカバー２０１は、前記コードリールカバー１と比較して部品点数が少なくてすみ、経済的であるばかりか、側板１０４へのカバー部材２０２の装着作業を容易にすることができるのである。
【００８９】
［コードリールカバー３０１（第三実施形態）］
次に、本発明を具現化する、第三実施形態におけるコードリールカバー３０１の構成について、図６を用いて説明する。
なお、以下の説明に関しては便宜上、図５の上下方向をコードリールカバー２０１の上下方向と規定して記述する。
【００９０】
第三実施形態におけるコードリールカバー３０１は、前述した第一実施形態におけるコードリールカバー１と略同程度な構成を有する一方、掛止部材３０３及び固定部材３０４の個数について、前記コードリールカバー１と相違する。
よって、以下の説明においては、主にコードリールカバー１との相違点について記載し、該コードリールカバー１との同等な構成については説明を省略する。
【００９１】
本実施形態における掛止部材３０３は、前述した第一実施形態におけるコードリールカバー１の掛止部材３と同様に、側面視逆「Ｊ」字状に屈曲させた矩形板状部材によって形成される。
【００９２】
そして、本実施形態における掛止部材３０３は、一個のコードリールカバー３０１に対して一個設けられ、カバー部材３０２の後面上部中央において、基部３０３ａの前面を密接させつつ、上下方向に延出するようにして配設される。
【００９３】
ここで、基部３０３ａには、複数（本実施形態においては、２個）の長孔３０３ｄ・３０３ｄが、該基部３０３ａ（或いは、掛止部材３０３）の長手方向に延出するように形成される。
そして、掛止部材３０３は、前記長孔３０３ｄ・３０３ｄを介して、締結部材３３１・３３１によってカバー部材３０２に固設される。この際、締結部材３３１・３３１が緩められた状態において、該締結部材３３１・３３１に前記長孔３０３ｄ・３０３ｄを沿わせつつ摺動させることにより、掛止部材３０３は、カバー部材３０２に対する自身の配設位置を、該掛止部材３０３の長手方向（即ち、上下方向）に任意に変更することができるのである。
【００９４】
このような構成からなる一個の掛止部材３０３によって、カバー部材３０２は、コードリール１０１の側板１０４に掛止される。
この際、側板１０４の上端部に対して、繋ぎ部３０３ｂの下面を当接させつつ、基部３０３ａと舌片部（図示せず）とによって挟持させるようにして、掛止部材３０３は該側板１０４に掛止される。
【００９５】
また、前記舌片部の下端部には、図示せぬ下敷部材が貼着され、該下敷部材が敷設された巻胴１０３（図２を参照）の外周面上に、電気コード１０２が巻回される。
これにより、再び電気コード１０２が目一杯引き出されることなく、側板１０４よりカバー部材３０２を脱離させることが困難となる。
換言すると、側板１０４よりカバー部材３０２が脱離され、該側板１０４に配設される複数のコンセント１４１・１４１・・・が使用可能な状態となるためには、電気コード１０２が目一杯引き出されることが必要となるのである。
【００９６】
なお、このような一個の掛止部材３０３によって、側板１０４に掛止されたカバー部材３０２は、例えば、外部からの不意な力によって、掛止部材３０３に弾性変形などが加えられ、前上方に向かって若干持ち上げられてガタツキが発生することがある。
しかし、本実施形態における掛止部材３０３は十分な剛性を有しており、例えカバー部材３０２が前上方に若干持ち上げられたとしても、これによって発生するカバー部材３０２と側板１０４との間隙は僅かであり、該間隙を利用して、コンセント１４１を使用することができないようになっている。
【００９７】
また、カバー部材３０２の前面下部には、二個の固定部材３０４・３０４が、正面視逆「Ｖ」字状に各々配設されており、これらの固定部材３０４・３０４を用いることによって、前述したカバー部材３０２のガタツキは略完全に排除され、側板１０４への装着状態を、より堅固な状態にすることができる。
即ち、カバー部材３０２は、側板１０４に対して、掛止部材３０３による上部の一点、及び固定部材３０４・３０４による下部の二点の、合計三点において各々固定されることとなる。
このように、カバー部材３０２は、側板１０４に対して堅固に固設されることとなり、前述したような、掛止部材３０３の弾性変形などを要因とするカバー部材３０２のガタツキを、略完全に排除することができるのである。
【００９８】
なお、カバー部材３０２において、固定部材３０４・３０４の配設箇所は、該カバー部材３０２の前面下部に限定されるものではない。
即ち、掛止部材３０３によって側板１０４に掛止された直後のカバー部材３０２において、該カバー部材３０２に発生するガタツキを取り除き、該カバー部材３０２の掛止状態を堅固なものとすることが可能である限り、固定部材３０４・３０４の配設箇所は、カバー部材３０２における何れの箇所であってもよい。
【００９９】
また、前述したように、本実施形態におけるコードリールカバー３０１においては、十分な剛性を有する掛止部材３０３によって、カバー部材３０２が側板１０４に掛止されるようになっており、例えカバー部材３０２が前上方に若干持ち上げられたとしても、これによって発生するカバー部材３０２と側板１０４との間隙を利用して、コンセント１４１を使用することができないようになっている。
従って、本実施形態において示されるように、コードリールカバー３０１において、必ずしも固定部材３０４・３０４を備える必要はないものの、側板１０４に対するカバー部材３０２の掛止状態を、より堅固なものとすることができることからすれば、コードリールカバー３０１に固定部材３０４・３０４を備えることが望ましい。
【０１００】
以上のように、第三実施形態におけるコードリールカバー３０１は、第一実施形態のコードリールカバー１と異なり、一個のコードリールカバー３０１に対して、一個の掛止部材３０３と、二個の固定部材３０４・３０４とを備える一方、前記コードリールカバー１と同様に、カバー部材３０２は、側板１０４に対して、掛止部材３０３による上部の一点、及び固定部材３０４・３０４による下部の二点の、合計三点において各々固定されることとなる。
このような構成からなる第三実施形態におけるコードリールカバー３０１であっても、第一実施形態におけるコードリールカバー１と同様に、コードリール１０１の側板１０４に対して、堅固に装着することができるのである。
【０１０１】
以上に示したように、第一乃至第三実施形態におけるコードリールカバー１（２０１又は３０１）は、円筒状の巻胴１０３と、該巻胴１０３の両端において該巻胴１０３と同軸上に配設される円盤状の側板１０４・１０４と、一方（前側）の該側板１０４に配設される複数のコンセント１４１・１４１・・・と、前記巻胴１０３に巻回される長尺の電気コード１０２と、を備えるコードリール１０１に装着されるコードリールカバー１（２０１又は３０１）であって、前記複数のコンセント１４１・１４１・・・を同時に閉塞しつつ前記一方（前側）の側板１０４に装着されるカバー部材２（２０２又は３０２）と、前記電気コード１０２の全てが前記巻胴１０３より引き出されることなく、前記カバー部材２（２０２又は３０２）が前記巻胴１０３から脱離するのを防止する、脱離防止手段としての下敷部材６と、を備えることを特徴とする。
【０１０２】
また、第一乃至第三実施形態におけるコードリールカバー１（２０１又は３０１）が装着されるコードリール１０１は、円筒状の巻胴１０３と、該巻胴１０３の両端において該巻胴１０３と同軸上に配設される円盤状の側板１０４・１０４と、一方（前側）の該側板１０４に配設される複数のコンセント１４１・１４１・・・と、前記巻胴１０３に巻回される長尺の電気コード１０２と、を備えるコードリール１０１であって、前記複数のコンセント１４１・１４１・・・を同時に閉塞しつつ前記一方（前側）の側板１０４に装着されるカバー部材２（２０２又は３０２）と、前記電気コード１０２の全てが前記巻胴１０３より引き出されることなく、前記カバー部材２（２０２又は３０２）が前記巻胴１０３から脱離するのを防止する、脱離防止手段としての下敷部材６と、を備えるコードリールカバー１（２０１又は３０１）が装着されていることを特徴とする。
【０１０３】
さらに、第一乃至第三実施形態におけるコードリールカバー１（２０１又は３０１）によるカバー方法は、円筒状の巻胴１０３と、該巻胴１０３の両端において該巻胴１０３と同軸上に配設される円盤状の側板１０４・１０４と、一方（前側）の該側板１０４に配設される複数のコンセント１４１・１４１・・・と、前記巻胴１０３に巻回される長尺の電気コード１０２と、を備えるコードリール１０１のカバー方法であって、前記一方（前側）の側板１０４にカバー部材２（２０２又は３０２）を装着して前記複数のコンセント１４１・１４１・・・を同時に閉塞し、前記電気コード１０２の全てが前記巻胴１０３より引き出されることなく、前記カバー部材２（２０２又は３０２）が前記巻胴１０３から脱離するのを防止することを特徴とする。
【０１０４】
このような、第一乃至第三実施形態におけるコードリールカバー１（２０１又は３０１）、及び該コードリールカバー１（２０１又は３０１）が装着されたコードリール１０１、並びに前記コードリールカバー１（２０１又は３０１）によるコードリール１０１のカバー方法によれば、既存のコードリール１０１に対して改造等を施すことなく、電気コード１０２が目一杯引き出されない限り、コンセント１４１・１４１・・・が使用されることを防止することが可能となり、低コスト、且つコードリール自身の改造を伴うことなく、該コードリールの電気コードの発熱に伴うトラブルを、未然に防止することができるのである。
【０１０５】
また、第一乃至第三実施形態におけるコードリールカバー１（２０１又は３０１）、及び該コードリールカバー１（２０１又は３０１）が装着されるコードリール１０１において、前記脱離防止手段は、掛止部材３（２０３又は３０３）を介して前記カバー部材２（２０２又は３０２）の縁部に吊着される下敷部材（帯状部材）６を有し、前記下敷部材（帯状部材）６が、前記巻胴１０３とともに前記電気コード１０４によって巻回されることにより、前記カバー部材２（２０２又は３０２）の装着姿勢は保持されるようになっている。
【０１０６】
さらに、第一乃至第三実施形態におけるコードリールカバー１（２０１又は３０１）によるカバー方法においては、前記カバー部材２（２０２又は３０２）の縁部に、掛止部材３（２０３又は３０３）を介して下敷部材（帯状部材）６を吊着し、前記下敷部材（帯状部材）６を、前記巻胴１０３とともに前記電気コード１０４によって巻回することにより、前記カバー部材２（２０２又は３０２）の装着姿勢を保持することとしている。
【０１０７】
このようなことから、第一乃至第三実施形態におけるコードリールカバー１（２０１又は３０１）、及び該コードリールカバー１（２０１又は３０１）が装着されたコードリール１０１、並びに前記コードリールカバー１（２０１又は３０１）によるコードリール１０１のカバー方法においては、電気コード１０２が目一杯引き出され、巻胴１０３の外周面上より、下敷部材６が、自由に離間可能な状態とならない限り、側板１０４よりカバー部材２が脱離されることはない。
換言すると、側板１０４よりカバー部材２が脱離され、該側板１０４に配設される複数のコンセント１４１・１４１・・・が使用可能な状態となるためには、電気コード１０２が目一杯引き出され、巻胴１０３の外周面上より、下敷部材６が、自由に離間可能な状態となることが必要なのである。
【０１０８】
また、第一乃至第三実施形態におけるコードリールカバー１（２０１又は３０１）、及び該コードリールカバー１（２０１又は３０１）が装着されるコードリール１０１において、下敷部材（帯状部材）６は、ゴムによって形成されることとなっている。
【０１０９】
このように、電気コード１０２の被覆材料（コード材料）と同じく、ゴムによって下敷部材（帯状部材）６が形成されることにより、該電気コード１０２との摩擦抵抗は大きくなる。
その結果、巻胴１０３と電気コード１０２との間から、下敷部材６が不意に滑り抜けるなどのことがなくなり、前記カバー部材２（２０２又は３０２）の装着姿勢が堅固に保持されるのである。
【０１１０】
また、第一乃至第三実施形態におけるコードリールカバー１（２０１又は３０１）、及び該コードリールカバー１（２０１又は３０１）が装着されるコードリール１０１において、前記カバー部材２（２０２又は３０２）は、前記一方（前側）の側板１０４と略同程度の外形形状からなる長円形状の板部材により形成されることとなっている。
【０１１１】
このような構成を有することから、たとえコードリール１０１の側板１０４の平面縁部にハンドル１４２が突設されていても、「切欠き」などを設けることなく、該ハンドル１４２との干渉を避けながら、カバー部材２（２０２又は３０２）を前記側板１０４に装着することができるのである。
【０１１２】
また、第一乃至第三実施形態におけるコードリールカバー１（２０１又は３０１）、及び該コードリールカバー１（２０１又は３０１）が装着されるコードリール１０１において、前記カバー部材２（２０２又は３０２）は、前記一方（前側）の側板１０４と、連結部材５１を有する連結構造体５によって連結されることとなっている。
【０１１３】
このような構成を有することにより、例えば、コードリール１０１の使用状態、即ち該コードリール１０１からのコードリールカバー１の脱離状態において、該コードリールカバー１が紛失したり、盗まれたりなどすることもないのである。
【符号の説明】
【０１１４】
１    コードリールカバー
２    カバー部材
５    連結構造体
６    下敷部材（帯状部材）
５１    連結部材
１０１    コードリール
１０２    電気コード
１０３    巻胴
１０４    側板
１４１    コンセント
２０１    コードリールカバー
２０２    カバー部材
３０１    コードリールカバー
３０２    カバー部材
【図１】
2014073901.tif 000003
【図２】
2014073901.tif 000004
【図３】
2014073901.tif 000005
【図４】
2014073901.tif 000006
【図５】
2014073901.tif 000007
【図６】
2014073901.tif 000008